(57)【要約】【課題】組立後にピント範囲規制用ネジの取り付け位置を外部から簡便に変更する。【解決手段】移動筒１２は、カム筒１３が回転することでカム開口２５と直進ガイド開口３０との交点の移動に案内されて光軸方向に移動する。第１レンズ保持枠１１は、自身の回転により移動筒１１に対してヘリコイド１７，２０のリードに従って光軸方向に移動する。移動筒１２の外周には、第１レンズ保持枠１１の回転域を規制する複数のネジ穴２１，２２が設けられている。ピント調整は、複数のネジ穴２１，２２のうちのいずれか一つのネジ穴にネジ２３を取り付けて移動筒１１に対する第１レンズ保持筒１１の移動域を決める。カム開口２５には、一端に露呈用開口４０が形成されている。露呈用開口４０は、カム筒１３を任意の回転位置にしたときにネジ穴２１，２２を外部に露呈させる。【選択図】    図１
2005352406.tif 000002
【特許請求の範囲】
【請求項１】
複数のカム開口をもつカム筒と、前記カム開口と同じ数の直進ガイド開口が設けられ、前記直進ガイド開口が前記カム開口に重なるように前記カム筒の外又は内に回転止めした状態で配されている直進ガイド部材と、前記カム筒又は直進ガイド部材の内に配され、前記カム開口と直進ガイド開口とに係合する複数のカムフォロワーを有し、前記カム筒と相対的に回転することで、ズームレンズの一部を構成するレンズを光軸方向に移動する移動筒とを備えたズームレンズ鏡筒において、
前記移動筒の外周に設けた複数の取付箇所のうちの何れか１つに取り付けられ、取付箇所を変更することで前記ズームレンズ鏡筒のピント範囲を調整することができるストッパ部材と、前記複数のカム開口のうちのいずれか又は全部に、前記カム開口のうちの変倍時にカムフォロワーが移動する変倍域の端部を延長して設けられており、前記カム筒を変倍時の回転域で回転することで前記複数の取付箇所を同時又は時系列的に外部に露呈する露呈用開口とを備えたことを特徴とするズームレンズ鏡筒。
【請求項２】
前記レンズは、前記移動筒の内に配したレンズ保持筒に支持され、レンズ保持筒はヘリコイド結合により移動筒に支持されており、変倍時には、前記カム筒と移動筒との相対的な回転により移動筒がレンズ保持筒と一緒に光軸方向に移動し、また、フォーカス時には前記レンズ保持筒が移動筒に対して前記ヘリコイドのリードに従って光軸方向に移動するとともに、
前記レンズ保持筒には、前記複数の取付箇所に対応する数だけ設けられ、前記ストッパ部材の一部に係合することで前記移動筒に対するレンズ保持枠の移動域を変更する構造を備えていることを特徴とする請求項１記載のズームレンズ鏡筒。
【発明の詳細な説明】
【技術分野】
【０００１】
本発明は、フォーカス調整機構と変倍時に使用するカム機構とを備えたズームレンズ鏡筒に関するものである。
【背景技術】
【０００２】
ズームレンズ鏡筒には、カムと直進ガイドとを使ってレンズを光軸方向に移動するカム機構を用いたものが多い。カム機構を用いると、カム開口をもつカム筒の外又は内に直進ガイド開口をもつガイド筒を配し、さらにこれら筒の最も内に、レンズを保持し且つカム開口と直進ガイド開口に係合するカムフォロワーを有するレンズ保持枠を配するため、複数の筒を重ねた多重構造となってしまう。
【０００３】
ところで、ズームレンズ鏡筒には、フォーカス調整機構が設けられているものがある。フォーカス調整は、各変倍位置で解像を検査し、各変倍位置で最良のピントとなるように、フォーカス時に移動するレンズの位置、又は移動範囲を調節する。例えばレンズ位置を調節するものでは、レンズ保持筒の端に当接するカム面をもった調整枠と、レンズ筒を調整枠に向けて付勢するバネとを設け、光軸を中心とする周方向に調整枠を回転することでレンズ筒を光軸方向に移動させて検査し、ピントが最良となる位置で調整枠の回転をネジなどを用いてロックする。また、移動範囲を調節するものでは、レンズ保持筒の外周に設けた凹部にレンズ保持筒の外に配した穴からネジを入り込ませてレンズ保持筒の移動範囲を調節している。また、レンズ保持筒の内部に片寄せ用のバネを設けたものも知られている（特許文献１）。フォーカス調整機構としては、このような片寄せ用のバネの付勢の強さをネジの取り付け位置の変更により調節することができるものがある。
【０００４】
【特許文献１】特許第３４９８５３０号（図２符号１６ｓ，１６ｆ）
【発明の開示】
【発明が解決しようとする課題】
【０００５】
しかしながら、カム筒の最も内にフォーカス調整機構をもつレンズ保持筒を配した場合、組み立て状態で外部からフォーカス調整用ネジがカム筒の外周で隠されてしまい、外部からネジの取り付け位置を変えることができない不都合があった。このため、従来、ズームレンズ鏡筒を分解してネジの取り付け位置を変更して再び組み立てるという不便な作業を行っていた。
【０００６】
本発明は、組立後にフォーカス調整用ネジの取り付け位置を外部から簡便に変更することができるように工夫したズームレンズ鏡筒を提供することを目的とする。
【課題を解決するための手段】
【０００７】
本発明では、移動筒の外周に設けた複数の取付箇所のうちの何れか１つに取り付けられ、取付箇所への取り付けを変更することでズームレンズ鏡筒のピントを調整することができるストッパ部材と、複数のカム開口のうちのいずれか又は全部に、カム開口のうちの変倍時にカムフォロワーが移動する変倍域の一方の端部を延長して設けられ、カム筒を変倍時の回転域で回転することで複数の取付箇所を同時又は時系列的に外部に露呈する露呈用開口とを備えたものである。前記複数の取付箇所を露呈用開口から同時に外部に露呈する場合には、カム筒を変倍域のうちの両端となる位置、すなわちテレ位置又はワイド位置とのいずれかが好適である。また、前記露呈用開口は、前記カム開口に加えて前記直進ガイド開口を通して前記取付箇所を外部に露呈するように構成してもよい。取付箇所とストッパ部材としては、ピンと穴との嵌め合い交差の管理で着脱自在に固定する固定手段や、ネジ穴とネジとで構成した固定手段としてもよい。
【０００８】
フォーカス調整用機構としては、レンズを光軸方向の一方に向けて付勢するバネの取り付け位置を調整するものがある。この場合には、穴を光軸方向に延ばして設けた長穴とするのが望ましい。また、前記レンズを保持し、前記移動筒の内で移動筒に対して直進的に移動自在に設けたレンズ保持枠を備える鏡筒もある。このような鏡筒には、フォーカス調整機構として、レンズ保持枠の端部に当接するカムを有するカム枠を設け、移動筒に対してカム枠を回転してカムの初期位置を調整するものがある。この場合には、例えばカム枠の外周に１つの穴を設けた場合、移動筒に設ける穴としては光軸を中心とする周方向に延ばして設けた長穴とするのが好適である。
【０００９】
さらに、前記レンズを保持し、前記移動筒の内でヘリコイド結合により移動筒に支持されるレンズ保持枠を設け、変倍時には、前記カム筒と移動筒との相対的な回転により移動筒がレンズ保持筒と一緒に光軸方向に移動し、また、フォーカス時には前記レンズ保持筒が移動筒に対して前記ヘリコイドのリードに従って光軸方向に移動するようにした構成としてもよい。この場合には、前記レンズ保持筒に構造、例えば凹部を備える。構造は、前記複数の取付箇所に対応する数だけ設けられ、前記ストッパ部材に係合することで前記移動筒に対して光軸方向に移動するレンズ保持枠の移動域を変更する。この場合には、前記複数の構造を光軸方向にずらして設けた場合には、前記複数の取付箇所を、光軸を中心とする周方向に沿って設ける。また、逆に、前記複数の構造を、光軸を中心とする周方向にずらして設けた場合には、前記複数の取付箇所を、光軸方向にずらして設ければよい。
【発明の効果】
【００１０】
本発明によれば、カム開口のうちの変倍域の一方の端部を延長して露呈開口を作り、カム筒を変倍時の回転域の任意の位置に回転することで、複数の取付箇所を同時又は時系列的に外部に露呈するから、ズームレンズ鏡筒を組み立てした後にもファーカス調整が簡便に行え、調整作業の効率が向上する。また、ズームレンズ鏡筒の組み立て順の自由度も増すため、組み立て作業の効率が向上する。
【発明を実施するための最良の形態】
【００１１】
ズームレンズ鏡筒１０は、図１に示すように、第１レンズ保持筒１１、移動筒１２、カム筒１３、固定筒１４、及び、第２レンズ保持筒１５とで構成されている。第１レンズ保持筒１１の内部には、第１レンズ群１６が保持されており、また、第１レンズ保持筒１１の外周には雄ヘリコイド１７、及び、第１及び第２の回転規制用凹部１８，１９が形成されている。移動筒１２には、内周に雌ヘリコイド２０が形成されており、雌ヘリコイド２０は雄ヘリコイド１７に係合する。第１レンズ保持筒１１は、フォーカス時に移動筒１２に対して回転することでヘリコイド１７，２０のリードに従って移動筒１２に対して光軸方向に移動する。
【００１２】
第１の回転規制用凹部１８は、第２の回転規制用凹部１９に対して光軸を中心とする周方向にずれた位置で、且つ光軸方向にずれた位置に形成されている。移動筒１２の外周には、第１及び第２のネジ部２１，２２がそれぞれ設けられている。これらネジ部２１，２２は、移動筒１２の外周面のうちの前記周方向にずれた位置で、且つ光軸方向においては同じ位置にそれぞれ形成されている。２つのネジ部２１，２２のうちのいずれか一方に範囲規制用ネジ２３が取り付けられる。
【００１３】
範囲規制用ネジ２３を取り付けるネジ部２１，２２の選択は、ピント調整を行った結果により決められる。第１ネジ部２１に範囲規制用ネジ２３を取り付けると、その先端が第１の回転規制用凹部１８に入り込み、範囲規制用ネジ２３の先端が第１の回転規制用凹部１８のうちの前記周方向で対向する両縁に当接することで、移動筒１２に対する第１レンズ保持筒１１の回転域を第１の回転域に制限する。また、第２ネジ部２２に範囲規制用ネジ２３を取り付けると、その先端が第２の回転規制用凹部１９に入り込み、移動筒１２に対する第１レンズ保持筒１１の回転域を前記第１の回転域とは異なる、又は第１の回転域の一部を共有する第２の回転域に制限する。なお、第１及び第２回転規制用凹部１８，１９の光軸方向に沿う長さ（幅）は、第１レンズ保持筒１１が前記第１又は第２の回転域に対応して光軸方向に移動する長さ以上となっている。
【００１４】
移動筒１２には、外周に第１カムフォロワー２４が突出して設けられており、第１カムフォロワー２４はカム筒１３の外周前側に設けた第１カム開口２５に係合する。また、第２レンズ保持筒１５の外周にも第２カムフォロワー２６が設けられており、第２カムフォロワー２６はカム筒１３の外周後側に設けた第２カム開口２７に係合する。第２レンズ保持筒１５は、内部に第２レンズ群２８を保持している。なお、第１及び第２カムフォロワー２４，２６と第１及び第２カム開口２５，２７は、光軸を中心とする周方向の３分割位置にそれぞれ設けられている。
【００１５】
固定筒１４には、第１カム開口２５から突出する第１カムフォロワー２４の先端が係合する第１直進ガイド開口３０と、第２カム開口２７から突出する第２フォロワー２６の先端が係合する第２直進ガイド開口３１とが設けられている。また、固定筒１４には、カム筒１３の外周に突出して設けたスラストストッパー用ピン３２が係合するスラストストッパー用開口３３が形成されている。これにより、固定筒１４は、カム筒１３を光軸方向への移動を阻止し、且つ光軸を中心とする周方向に回転自在に保持する。
【００１６】
カム筒１３は、図２に示すように、ズーム時にテレ位置とワイド位置との間の任意の回転位置に回転し、回転域に対する第１カム開口２５の光軸方向への変位に応じて移動筒１２を光軸方向に移動させ、且つ、回転域に対する第２カム開口２７の光軸方向への変位に応じて第２レンズ保持筒１５を光軸方向にそれぞれ移動させる。
【００１７】
第１レンズ保持筒１１は、図３に示すように、全回転域Ａ（回転位置Ａ０と回転位置Ａ５との間の回転域）で移動筒１２に対して回転すると、光軸方向のうちの結像面に最も近寄る位置Ｌ０と最も遠ざかる位置Ｌ５との間（全移動域Ｂ）で移動する。第１の回転域ＡＡは、移動筒１２に固定した範囲規制用ネジ２３と第１の回転規制用凹部１８のうちの周方向に沿う両縁との作用により第１レンズ保持筒１１の全回転域Ａのうちの一部の回転域に規制した範囲となり、第１レンズ保持筒を全移動域Ｂのうちの第１合焦域Ｃ（位置Ｌ１と位置Ｌ３との間）で移動させる。また、第２の回転域ＡＢで回転すると、全移動域Ｂのうちの第２合焦域Ｄを構成する位置Ｌ２と位置Ｌ４との間で第１レンズ保持筒１１を移動させる。なお、位置Ｌ１〜位置Ｌ４は、数字が大きくなるほど結像面から遠ざかる順番となっている。第１合焦域Ｃと第２合焦域Ｄとは、位置Ｌ２と位置Ｌ３との間の移動域が共有するように構成されている。
【００１８】
ピント調整は、ズームレンズ鏡筒１０を全部組み立てた後に行う。このとき、図４に示すように、スラストストッパー用開口３３を通して固定筒１４の外部から範囲規制用ネジ２３を何れか一方のネジ部２１，２２に取り付けられるように、ズーム時に使用する範囲の第１カム開口２５の一端２５ａを延長して作った露呈用開口４０を第１カム開口２５に設けている。露呈用開口４０は、３つある第１のカム開口２５にそれぞれ設けられている。カム筒１３が変倍時の全回転域のうちの任意の回転位置のときに露呈用開口４０には、第１ネジ部２１が露呈される。これと同時に、その露呈用開口４０から光軸を中心とする周方向に１２０度ずれた位置ある露呈用開口４０に第２ネジ部２２が露呈する。そして、図５に示すように、これら露呈用開口４０は、カム筒１３がズーム時の全回転域のうちの任意の回転位置のときに、スラストストッパー用開口３３からも露呈されるため、どちらのネジ部２１，２２にも固定筒１４の外部からドライバーを挿入して範囲規制用ネジ２３を簡単に付け外しをすることができる。組立工程においては、ピント範囲規制用ネジ２３は、まずは設計位置に取り付けられる。
【００１９】
なお、本実施形態では、図５に示すように、カム筒１３をテレ位置に回転したときに、第１及び第２のネジ部２１，２２が外部に露呈され、図６に示すワイド位置に回転したときには第１及び第２のネジ部２１，２２が固定筒１４の外周により隠れる。
【００２０】
次に上記構成の作用を簡単に説明する。ズームレンズ鏡筒１０の組み立ては、カム筒１３の前側から移動筒１２を、また後側から第２レンズ保持筒１５を内部に挿入する。次に、スラストストッパー用ピン３２をスラストストッパー用開口３３を通してカム筒１３の外周に取り付ける。これにより、カム筒１３は、固定筒１４の内部で光軸方向への移動が阻止された状態で光軸を中心とする周方向に回転自在に支持される。
【００２１】
次に、３つの第１カムフォロワー２４を第１直進ガイド開口３０及び第１カム開口２５を通して移動筒１２にそれぞれ取り付ける。次に３つの第２カムフォロワー２６を第２直進ガイド開口３１及び第２カム開口２７を通して第２レンズ保持筒１５の外周にそれぞれ取り付ける。これによりカム筒１３の回転により移動筒１２及び第２レンズ保持筒１５が互いの間隔が変化するように光軸方向に移動する。最後に第１レンズ保持筒を移動筒１２の前側に回転させながら挿入することで、雄・雌ヘリコイド１７，２０が結合して、第１レンズ保持筒１１が移動筒１２の内部で回転自在に支持される。これにより、ズームレンズ鏡筒１０の組み立てが完了する。
【００２２】
組み立て完了後、ズームレンズ鏡筒１０は、調整工程に送られる。調整工程は、一例として以下のような手順となる。まず、第１レンズ保持筒１１を移動筒１２に対して回転させ、ピント範囲規制用ネジ２３が回転規制用凹部１８の至近端側に突き当たるようにする。ここでピントが合っている距離を測定し、この距離が予め定められた範囲に入っていれば、調整は不要で、次の工程に移る。もしこの距離が予め定められた範囲に入っていなかった場合、近すぎるか遠すぎるか、どのくらい近いか遠いかによって、ピント範囲規制用ネジ２３を付け替えるネジ部を決定する。なお、無限遠側については、第１レンズ保持筒１１の移動量のみで保証できるため、通常は至近側の調整だけで事足りる。この移動量は回転規制用凹部１８の回転方向の長さだけで設計的に保証できる。
【００２３】
取り付けるネジ部２１，２２が決定すると、図５に示すように、カム筒１３をテレ位置に回転させる。テレ位置は、第１カムフォロワー２４が第１カム開口２５の端（露呈用開口４０を設けた端２５ａとは逆側の端）２５ｂとなっているため、回転位置が分かりやすい。テレ位置にすると、スラストストッパー用開口３３と第１のカム開口２５に設けた露呈用開口４０とを通して第１ネジ部２１が、また、その位置から光軸を中心とする周方向に１２０度ずれた露呈用開口４０には第２ネジ部２２がそれぞれ露呈しているから、範囲規制用ネジ２３を固定筒１４の外部から簡単に取り付けることができ、一々分解して移動筒１２を取り外してネジを締める作業の手間を省くことができる。
【００２４】
範囲規制用ネジ２３を第１ネジ部２１に取り付けるときには、第１回転規制用凹部１８が第１ネジ部２１の下に位置する回転位置に第１レンズ保持筒１１を回転させておく。これにより、第１レンズ保持筒１１は、図３に示すフォーカス時に第１の回転域ＡＡに回転域が規制され、第１合焦域Ｃで移動する。また、範囲規制用ネジ２３を第２ネジ部２２に取り付けるときには、第２回転規制用凹部１９が第２ネジ部２２の下に位置する回転位置に第１レンズ保持筒１１を回転させておく。これにより、第１レンズ保持筒１１は、フォーカス時に第２の回転域ＡＢに回転域が規制され、第２合焦域Ｄで移動する。
【００２５】
上記実施形態では、ズームで使用するカム開口２５を延長して設けた露呈用開口４０を、範囲規制用ネジ２３を取り付けるための開口としているが、本発明ではこれに限らず、カム筒１３の内部に隠れて調整しづらいフォーカス調整用のバネの締め付け調整や、バネの取り付け調整などで用いる開口としてもよい。
【００２６】
上記実施形態では、２群ズームレンズとしているが、本発明では３つ以上のレンズ群からなるズームレンズとしてもよい。また、本発明の取付箇所とストッパ部材とを上記実施形態ではネジ穴とネジとして説明しているが、本発明ではこれらに限らず、ピンと穴とで構成してもよい。この場合には、嵌め合い交差を管理することで着脱自在に固定する。さらに、本発明の構造を上記実施形態では凹部として説明しているが、これに限らず、開口などでも良い。
【００２７】
さらに、露呈用開口４０は、スラストストッパー用開口３３を通して外部に露呈しているが、直進ガイド開口３０又は直進ガイド開口を延長して作った開口を通して外部に露呈するように構成してもよい。このように穴を多重した筒を通して外部に露呈させるために、他の作用をする開口をそのまま用いる、又はその開口の端を延長して作った開口を用いて取付箇所を外部に露呈するように構成すればよい。また、カム筒を任意の回転位置に回転することで複数の露呈用開口から複数の取付箇所を同時に露呈しているが、代わりにカム筒を複数の回転位置に順番に回転することで、複数の取付箇所を時系列的に露呈するように露呈用開口を設けてよい。
【図面の簡単な説明】
【００２８】
【図１】ズームレンズ鏡筒の構成を示す斜視図である。
【図２】カム筒の回転に対して移動筒及び第２レンズ保持筒が光軸方向に移動する位置を示す説明図である。
【図３】第１レンズ保持筒が光軸方向に移動する位置を示す説明図である。
【図４】カム筒の外周を展開した展開図であり、テレ位置及びワイド位置のときに移動するカムフォロワーを記載している。
【図５】固定筒の外周を展開した展開図であり、カム筒がテレ位置に回転したときに移動するカムフォロワーやネジ穴などを一緒に記載している。
【図６】固定筒の外周を展開した展開図であり、カム筒がワイド位置に回転したときに移動するカムフォロワーやネジ穴などを一緒に記載している。
【符号の説明】
【００２９】
１０  ズームレンズ鏡筒
１１  第１レンズ保持筒
１２  移動筒
１３  カム筒
１４  固定筒
１５  第２レンズ保持筒
２１，２２  ネジ穴
２３  ピント範囲規制用ネジ
２４  第１カムフォロワー
２５  第１カム開口
４０  露呈用開口
【図１】
2005352406.tif 000003
【図２】
2005352406.tif 000004
【図３】
2005352406.tif 000005
【図４】
2005352406.tif 000006
【図５】
2005352406.tif 000007
【図６】
2005352406.tif 000008